(57)【要約】【課題】例えば子供と大人が共に歌唱して楽しむ場合、それぞれに適した背景映像を表示させることで、よりカラオケを楽しめるようにする。【解決手段】赤外光発光部３７ａ，３７ｂは表示部３６の表示画面に向かって右領域へ第１の赤外光、左領域へ第２の赤外光をそれぞれ放射する。大人用マイク２５ａ及び子供用マイク２５ｂにそれぞれ設けられた赤外光受光部２７ａ，２７ｂで受けた赤外光の搬送周波数に基づいて、右映像が見える領域、左映像が見える領域、それらの間にある左右映像が混ざって見える領域の何れに大人用マイク２５ａあるいは子供用マイク２５ｂが存在するかを自動的に判定する。そして、子供には大人向けの背景映像を見せないようにしながら、大人はその背景映像を見られるようにする。つまり、大人・子供それぞれに適した背景映像を表示させることができるため、よりカラオケを楽しむことができる。【選択図】図２
2007272075.tif 000002
【特許請求の範囲】
【請求項１】
第１の歌唱者によるカラオケ歌唱の音声信号を入力する第１のマイクロフォンと、
第２の歌唱者によるカラオケ歌唱の音声信号を入力する第２のマイクロフォンと、
歌詞テロップ及び背景映像を表示する表示手段と、
選択された楽曲を演奏し且つ歌詞テロップ及び背景映像を表示手段に表示させる制御手段と、
を備え、
前記表示手段は、同一の表示画面に対する第１の視点及び第２の視点にそれぞれ対応する第１の表示方向及び第２の表示方向に、互いに異なる第１の映像及び第２の映像を同時に表示可能に構成されており、
さらに、
前記表示手段と所定の位置関係にあり、第１の周波数を有する光を第１の領域へ放射するよう構成された第１の発光手段と、
前記表示手段と所定の位置関係にあり、前記第１の周波数とは異なる第２の周波数を有する光を前記第１の領域とは異なる第２の領域へ放射するよう構成された第２の発光手段と、
前記第１のマイクロフォンに設けられ、前記第１の発光手段及び第２の発光手段によって放射された光を受けると受光信号を出力する第１の受光手段と、
前記第２のマイクロフォンに設けられ、前記第１の発光手段及び第２の発光手段によって放射された光を受けると受光信号を出力する第２の受光手段と、
前記第１の受光手段及び第２の受光手段によって出力された受光信号を入力し、その受光信号から光の周波数を計測する周波数計測手段と、
前記第１の領域及び第２の領域と、前記第１の表示方向及び第２の表示方向との対応関係を記憶する記憶手段と、
を備え、
前記制御手段は、所定のカラオケ楽曲が選択されている場合には、そのカラオケ楽曲が選択されてからそのカラオケ楽曲の演奏が終了するまでの間、前記第１の受光手段及び第２の受光手段によって出力された受光信号から光の周波数を計測するよう前記周波数計測手段を制御し、その計測された周波数と、前記記憶手段に記憶された対応関係とに基づいて、前記第１のマイクロフォン及び第２のマイクロフォンの存在位置と、第１の表示方向及び第２の表示方向との対応関係を判定し、その判定した対応関係に基づいて、第１の表示方向及び第２の表示方向に表示させるための映像内容を決定し、その決定した映像内容に応じた背景映像を前記表示手段へ表示させることを特徴とするカラオケ装置。
【請求項２】
請求項１に記載のカラオケ装置において、
前記第１の発光手段及び第２の発光手段は、それぞれ前記第１の領域と第２の領域とが重ならないように構成され、且つ前記表示画面の上縁略中央の上方部または下縁略中央の下方部のいずれか一方の位置に配置されていることを特徴とするカラオケ装置。
【請求項３】
請求項１に記載のカラオケ装置において、
前記第１の発光手段と第２の発光手段とは、前記表示画面の上縁の上方部または下縁の下方部のいずれか一方の位置であって、前記表示画面に対して左右対称に所定間隔で配置され、
前記第１の発光手段及び第２の発光手段と前記第１の受光手段及び第２の受光手段とは、前記第１の発光手段及び第２の発光手段から前記第１の受光手段及び第２の受光手段までの距離が同じであれば、前記第１の受光手段及び第２の受光手段によって出力された第１の周波数及び第２の周波数にそれぞれ対応する受光信号の出力値が略同一となるように構成されており、
前記制御手段は、前記第１の受光手段及び第２の受光手段によって出力された受光信号から光の周波数を計測するよう前記周波数計測手段を制御し、その計測された周波数が第１の周波数と第２の周波数とである場合には、第１の周波数に対応する受光信号の出力値と、第２の周波数に対応する受光信号の出力値との出力差を算出し、その算出された出力差を第１の周波数に対応する受光信号の出力値で除算し、その除算した数値の絶対値が所定値以上の場合には、第１の周波数に対応する受光信号の出力値と、第２の周波数に対応する受光信号の出力値とを比較し、その出力値が大きい周波数と、前記記憶手段に記憶された対応関係とに基づいて、前記第１のマイクロフォン及び第２のマイクロフォンの存在位置と、第１の表示方向及び第２の表示方向との対応関係を判定することを特徴とするカラオケ装置。
【請求項４】
請求項１〜請求項３のいずれかに記載のカラオケ装置において、
前記制御手段は、前記第１のマイクロフォン及び第２のマイクロフォンの存在位置と、前記第１の表示方向及び第２の表示方向との対応関係に基づき、前記第１のマイクロフォン及び第２のマイクロフォンの存在位置が、それぞれ異なる前記表示方向に対応している場合には、前記第１の表示方向に表示するための映像内容と、前記第２の表示方向に表示するための映像内容とを異なるものに決定し、そうでない場合には、前記第１の表示方向に表示するための映像内容を、前記第２の表示方向に表示するための映像内容と同一のものに決定することを特徴とするカラオケ装置。
【請求項５】
請求項１〜請求項４のいずれかに記載のカラオケ装置において、
前記第１の受光手段及び第２の受光手段は、それぞれ、
前記第１のマイクロフォン及び第２のマイクロフォンが利用者によって保持され、外部からの音声を受ける際に、前記第１のマイクロフォン及び第２のマイクロフォンの外周略水平方向から入射した光を集めるように構成された集光体と、
前記集光体によって集められた光を受けると受光信号を出力する受光部と、
を備えることを特徴とするカラオケ装置。
【請求項６】
請求項１〜請求項５のいずれかに記載のカラオケ装置におけるマイクロフォンであって、
外部からの音声を受けると音声信号を出力する受音部と、
前記マイクロフォンが利用者によって保持され、外部からの音声を受ける際に、前記マイクロフォンの外周略水平方向から入射した光を集めるように構成された集光体と、
前記集光体によって集められた光を受けると受光信号を出力する受光部と、
を備えることを特徴とするマイクロフォン。
【請求項７】
請求項１〜請求項５のいずれかに記載のカラオケ装置において、
カラオケ楽曲の演奏データと、前記第１のマイクロフォン及び第２のマイクロフォンから入力されたカラオケ歌唱の音声信号とを送信するための音声送信手段と、
前記第１のマイクロフォンに設けられ、前記音声送信手段によって送信された演奏データと音声信号とを受信する第１の受信手段と、
前記第１のマイクロフォンに設けられ、前記第１の受信手段によって受信された演奏データと音声信号とを出力するための第１のスピーカと、
前記第２のマイクロフォンに設けられ、前記音声送信手段によって送信された演奏データと音声信号とを受信する第２の受信手段と、
前記第２のマイクロフォンに設けられ、前記第２の受信手段によって受信された演奏データと音声信号とを出力するための第２のスピーカと、
を備えたことを特徴とするカラオケ装置。
【請求項８】
請求項１〜請求項５及び請求項７のいずれかに記載のカラオケ装置において、
さらに、音声データと映像データとを有するコンテンツデータを記憶するコンテンツ記憶手段を備え、
前記制御手段は、前記コンテンツ記憶手段に記憶されているコンテンツデータに基づいてコンテンツを再生し、その再生されたコンテンツの映像を前記表示手段へ表示させるとともに、その再生されたコンテンツの音声データを前記第１の受信手段及び第２の受信手段へ送信するよう前記音声送信手段を制御することを特徴とするカラオケ装置。
【請求項９】
請求項７または請求項８に記載のカラオケ装置におけるマイクロフォンであって、
外部からの音声を受けると音声信号を出力する受音部と、
前記マイクロフォンが利用者によって保持され、外部からの音声を受ける際に、前記マイクロフォンの外周略水平方向から入射した光を集めるように構成された集光体と、
前記集光体によって集められた光を受けると受光信号を出力する受光部と、
前記音声送信手段によって送信された演奏データと音声信号とを受信する受信手段と、
前記受信手段によって受信された演奏データと音声信号とを出力するためのスピーカと、
を備えることを特徴とするマイクロフォン。
【発明の詳細な説明】
【技術分野】
【０００１】
本発明は、カラオケ装置に関し、特に背景映像の制御技術に関する。
【背景技術】
【０００２】
従来、カラオケの歌詞を示す歌詞テロップとカラオケの背景映像とをモニタ画面に表示し、再生したカラオケ曲及びマイク音声をスピーカから出力するカラオケ装置が知られている。
【０００３】
例えば一般的に大人向けと思われるジャンル（例えば演歌やポップスなど）のカラオケ曲の場合、その背景映像中に大人向けの映像内容が含まれている場合がある。そのため、例えば子供がそのような一般的に大人向けと思われるジャンルの曲を選んだ場合、上述した大人向けの映像内容が含まれる背景映像がモニタ画面に表示されてしまうこことなる。
【０００４】
このような事態が生じては、子供に悪影響を与えるおそれがあるため、好ましくない。そこで、例えば特許文献１に開示された発明では、利用者が子供モードを選択設定した場合には、大人向けの映像内容が含まれる背景映像を再生しないようにしている。
【特許文献１】特開平１０−２０８６９号公報
【発明の開示】
【発明が解決しようとする課題】
【０００５】
ところで、例えば特開２００２−９９２２３号公報に開示されているように、現在、見る方向によって異なる内容を表示できる表示装置が開発されている。これを上手く利用すれば、子供と大人が共に歌唱する際に、大人は大人向けの背景映像を見ることとなるが、子供はその大人向けの背景映像を見ることはできず、別の背景映像を見るようにすることが可能である。
【０００６】
しかし、上述の特開２００２−９９２２３号公報には、見る方向によって異なる映像を表示できる表示装置の構成が開示されているだけである。例えばカウンターやテーブルの上面に設けた表示装置を挟んで店員と客が対面した場合に、店員は左側から、客は右側から表示装置を見るとすれば、客には見せたくなく店員のみが見ることのできる表示内容については、右側から見えないように設定しておくのである。
【０００７】
このような使用方法を前提とした場合には問題ないが、カラオケに適用した場合には、下記のような問題がある。つまり、カラオケを歌唱している人は特定の場所に必ずいるとは限らず、背景映像を表示している表示装置を右側から見る位置にいる場合もあれば、左側から見る位置にいる場合もあり、中央から見る位置にいる場合もある。そしてさら、大人と子供が離れて歌唱している場合もあれば、くっついて歌唱している場合もある。
【０００８】
このように、歌唱している子供と大人の位置が予め定まっていないため、カラオケにそのまま適用することはできない。
本発明は、上記課題に鑑みなされたものであり、例えば子供と大人が共に歌唱して楽しむ場合、それぞれに適した背景映像を表示させることで、よりカラオケを楽しめるようにすることを目的とする。
【課題を解決するための手段】
【０００９】
本発明のカラオケ装置（１：なお、この欄においては、発明に対する理解を容易にするため、必要に応じて「発明を実施するための最良の形態」欄において説明した構成要素を括弧内に示すが、この記載によって特許請求の範囲を限定することを意味するものではない。）は、第１の歌唱者によるカラオケ歌唱の音声信号を入力する第１のマイクロフォン（２５ａ）と、第２の歌唱者によるカラオケ歌唱の音声信号を入力する第２のマイクロフォン（２５ｂ）と、歌詞テロップ及び背景映像を表示する表示手段（３６）と、選択された楽曲を演奏し且つ歌詞テロップ及び背景映像を表示手段に表示させる制御手段（１２）と、を備えている。
【００１０】
表示手段は、同一の表示画面に対する第１の視点及び第２の視点にそれぞれ対応する第１の表示方向及び第２の表示方向に、互いに異なる第１の映像及び第２の映像を同時に表示可能に構成されている。
【００１１】
さらに、カラオケ装置は、表示手段と所定の位置関係にあり、第１の周波数を有する光を第１の領域へ放射するよう構成された第１の発光手段（３７ａ）と、表示手段と所定の位置関係にあり、前記第１の周波数とは異なる第２の周波数を有する光を第１の領域とは異なる第２の領域へ放射するよう構成された第２の発光手段（３７ｂ）と、第１のマイクロフォンに設けられ、第１の発光手段及び第２の発光手段によって放射された光を受けると受光信号を出力する第１の受光手段（２７ａ）と、第２のマイクロフォンに設けられ、第１の発光手段及び第２の発光手段によって放射された光を受けると受光信号を出力する第２の受光手段（２７ｂ）と、第１の受光手段及び第２の受光手段によって出力された受光信号を入力し、その受光信号から光の周波数を計測する周波数計測手段（１２）と、前記第１の領域及び第２の領域と、前記第１の表示方向及び第２の表示方向との対応関係を記憶する記憶手段（１６）と、を備えている。
【００１２】
そして、本発明のカラオケ装置における制御手段は、所定のカラオケ楽曲が選択されている場合には、そのカラオケ楽曲が選択されてからそのカラオケ楽曲の演奏が終了するまでの間、下記の制御を実行する。つまり、第１の受光手段及び第２の受光手段によって出力された受光信号から光の周波数を計測するよう周波数計測手段を制御し、その計測された周波数と、記憶手段に記憶された対応関係とに基づいて、第１のマイクロフォン及び第２のマイクロフォンの存在位置と、第１の表示方向及び第２の表示方向との対応関係を判定し、その判定した対応関係に基づいて、第１の表示方向及び第２の表示方向に表示させるための映像内容を決定し、その決定した映像内容に応じた背景映像を表示手段へ表示させるのである。
【００１３】
例えば第１の歌唱者が大人で、第２の歌唱者が子供であって、２人で一緒にカラオケ曲を歌唱する場合を例に挙げて説明する。「所定のカラオケ楽曲」とは、例えば、背景映像に大人向けの映像内容が含まれているような楽曲である。このカラオケ楽曲が選択されると、第１の歌唱者（大人）、第２の歌唱者（子供）は、それぞれ第１のマイクロフォン（大人用マイク２５ａ）、第２のマイクロフォン（子供用マイク２５ｂ）を持ってカラオケ歌唱の準備をする。そして、第１のマイクロフォン（大人用マイク２５ａ）と第２のマイクロフォン（子供用マイク２５ｂ）の位置の判定を開始する。ただし、絶対位置ではなく、第１のマイクロフォン及び第２のマイクロフォンの存在位置と、第１の表示方向及び第２の表示方向との対応関係を判定する。
【００１４】
このようにして自動的に位置関係を判定し、その判定した対応関係に基づいて、大人が存在すると推定される表示方向に表示するための映像内容及び子供が存在すると推定される表示方向に表示するための映像内容を決定し、その決定した映像内容に応じた背景映像を表示手段に表示させれば、それぞれに適した背景映像を表示させることができ、よりカラオケを楽しむことができる。
【００１５】
そして、所定のカラオケ楽曲が選択されている場合には、そのカラオケ楽曲が選択されてからそのカラオケ楽曲の演奏が終了するまでの間、マイクロフォンの位置に基づいて背景映像の出力制御を行なう。したがって、例えばカラオケ歌唱中に子供が位置を変えて、その大人向けの背景映像を見ることができる位置に来た場合には、自動的に位置関係を判定し、その判定した対応関係に基づいて、子供には大人向けの背景映像を見せないようにすることができる。
【００１６】
本発明のカラオケ装置は、カラオケルーム（４９）内に設置されるカラオケ装置に限らず、自動車（４４９）内などの移動体内に設置されるカラオケ装置であってもよく、上述した効果と同様の効果を奏する。
【００１７】
ところで、第１の発光手段が光を放射する第１の領域と第２の発光手段が光を放射する第２の領域とが重なると、第１の受光手段及び第２の受光手段が、第１の周波数と第２の周波数とに対応する受光信号を出力することになる。そして、周波数計測手段が計測する光の周波数は、第１の周波数と第２の周波数とになり、第１のマイクロフォン及び第２のマイクロフォンの存在位置と、第１の表示方向及び第２の表示方向との対応関係を判定できなくなる。したがって、前記第１の領域と第２の領域とが重ならないように、第１の発光手段及び第２の発光手段を構成するとよい。また、このように構成された場合には、前記第１の領域の大きさと第２の領域の大きさとがほぼ同じになるように、第１の発光手段及び第２の発光手段を配置するとよい。
【００１８】
そこで、請求項２に記載のように、第１の発光手段及び第２の発光手段は、それぞれ前記第１の領域と第２の領域とが重ならないように構成され、且つ表示画面の上縁略中央の上方部または下縁略中央の下方部のいずれか一方の位置に配置されているとよい。
【００１９】
このように構成されたカラオケ装置によれば、第１の発光手段が光を放射する第１の領域と第２の発光手段が光を放射する第２の領域とが重ならないので、第１のマイクロフォン及び第２のマイクロフォンの存在位置と、第１の表示方向及び第２の表示方向との対応関係を判定できる。
【００２０】
また、第１の発光手段及び第２の発光手段は表示画面の上縁略中央の上方部または下縁略中央の下方部のいずれか一方の位置に配置されている。すなわち、第１の発光手段と第２の発光手段とが、共に表示画面の上縁略中央の上方部の位置に配置されていてもよい。また、第１の発光手段と第２の発光手段とが、共に表示画面の下縁略中央の下方部の位置に配置されていてもよい。さらに、第１の発光手段が表示画面の上縁略中央の上方部の位置に配置され、第２の発光手段が表示画面の下縁略中央の下方部の位置に配置されていてもよい。また、第１の発光手段が表示画面の下縁略中央の下方部の位置に配置され、第２の発光手段が表示画面の上縁略中央の上方部の位置に配置されていてもよい。つまり、第１の発光手段及び第２の発光手段は表示画面の略中央部に配置される。よって、第１の領域の大きさと第２の領域の大きさとがほぼ同じで、表示画面に対して対象の領域となる。もしも第１の領域の大きさと第２の領域の大きさとがほぼ同じでなく、例えば第１の領域の大きさが第２の領域の大きさに比べて大きく、表示画面に対して非対象の領域であった場合には、マイクロフォンを持っている利用者は第１の領域と第２の領域との境界を直感的に認識できないので、混乱したり、戸惑ったりしてカラオケの楽しみを削がれてしまう。
【００２１】
一方、第１の領域の大きさと第２の領域の大きさとがほぼ同じで、表示画面に対して対象の領域の場合には、マイクロフォンを持っている利用者は第１の領域と第２の領域との境界を直感的に認識できるので、混乱したり、戸惑うことがない。
【００２２】
また、第１の発光手段が光を放する第１の領域と第２の発光手段が光を放射する第２の領域とが重なっても、第１のマイクロフォン及び第２のマイクロフォンの存在位置と、第１の表示方向及び第２の表示方向との対応関係を判定できるとよい。
【００２３】
すなわち、請求項３に記載のように、第１の発光手段と第２の発光手段とは、表示画面の上縁の上方部または下縁の下方部のいずれか一方の位置であって、表示画面に対して左右対称に所定間隔で配置されている。
【００２４】
また、第１の発光手段及び第２の発光手段と第１の受光手段及び第２の受光手段とは、第１の発光手段及び第２の発光手段から第１の受光手段及び第２の受光手段までの距離が同じであれば、第１の受光手段及び第２の受光手段によって出力された第１の周波数及び第２の周波数にそれぞれ対応する受光信号の出力値が略同一となるように構成されている。
【００２５】
そして、制御手段は、第１の受光手段及び第２の受光手段によって出力された受光信号から光の周波数を計測するよう周波数計測手段を制御し、その計測された周波数が第１の周波数と第２の周波数とである場合には、第１の周波数に対応する受光信号の出力値と、第２の周波数に対応する受光信号の出力値との出力差を算出し、その算出された出力差を第１の周波数に対応する受光信号の出力値で除算し、その除算した数値の絶対値が所定値以上の場合には、第１の周波数に対応する受光信号の出力値と、第２の周波数に対応する受光信号の出力値とを比較し、その出力値が大きい周波数と、記憶手段に記憶された対応関係とに基づいて、第１のマイクロフォン及び第２のマイクロフォンの存在位置と、第１の表示方向及び第２の表示方向との対応関係を判定するとよい。
【００２６】
このように構成されたカラオケ装置によれば、次のような作用効果を奏する。第１の発光手段と第２の発光手段とは、表示画面の上縁の上方部または下縁の下方部のいずれか一方の位置であって、表示画面に対して左右対称に所定間隔で配置されている。すなわち、第１の発光手段と第２の発光手段とは、共に表示画面の上縁の上方部の位置であって、表示画面に対して左右対称に所定間隔で配置されていてもよい。また、第１の発光手段と第２の発光手段とは、共に表示画面の下縁の下方部の位置であって、表示画面に対して左右対称に所定間隔で配置されていてもよい。つまり、第１の発光手段と第２の発光手段とは、表示画面に対して左右対称に所定間隔で配置されているので、三角測量と同じようにして、第１のマイクロフォン及び第２のマイクロフォンの存在位置を以下説明するように判定できる。ここで、上述した所定間隔を、例えば表示画面の横幅寸法の略半分とし、第１の発光手段を表示画面に向かって左側に配置し、第２の発光手段を表示画面に向かって右側に配置する。なお、以下においては、例えば表示画面に向かって左側の領域を「左側の領域」と称し、表示画面に向かって右側の領域を「右側の領域」と称して説明する。
【００２７】
上述した「第１の周波数に対応する受光信号の出力値と、第２の周波数に対応する受光信号の出力値との出力差を第１の周波数に対応する受光信号の出力値で除算した数値の絶対値が所定値以上の場合には」において「出力差」が大きくなれば、「除算した数値の絶対値」も大きくなる。また、第１の周波数に対応する受光信号の出力値と、第２の周波数に対応する受光信号の出力値との出力差が大きいということは、第１の発光手段及び第２の発光手段からの距離が相違するということであり、左側の領域と右側の領域との境界から遠いということである。そして、「出力差」が大きくなれば、「除算した数値の絶対値」も大きくなるので、左側の領域と右側の領域との境界から遠い領域においては、その出力値の大きい周波数に基づいて、第１のマイクロフォン及び第２のマイクロフォンの存在位置が判定されることになる。例えば、その出力値の大きい周波数が第１の周波数であれば、第１の受光手段は、第１の周波数を有する光を放射する第１の発光手段が配置されている左側の領域に存在すると判定できる。すなわち、第１のマイクロフォンは、左側の領域に存在すると判定できる。
【００２８】
一方、第１の周波数に対応する受光信号の出力値と、第２の周波数に対応する受光信号の出力値との出力差が小さいということは、第１の発光手段及び第２の発光手段からの距離が相違しないということであり、左側の領域と右側の領域との境界に近いということである。例えば、第１の周波数に対応する受光信号の出力値と、第２の周波数に対応する受光信号の出力値との出力差が小さければ、「除算した数値の絶対値」も小さくなり、所定値以上でない場合には、第１の受光手段は、左側の領域と右側の領域との境界に近い領域に存在すると判定できる。すなわち、第１のマイクロフォンは、左側の領域と右側の領域との境界に近い領域に存在すると判定できる。
【００２９】
なお、上述した「第１の周波数に対応する受光信号の出力値と、第２の周波数に対応する受光信号の出力値との出力差を第１の周波数に対応する受光信号の出力値で除算した数値の絶対値が所定値以上の場合には」における「所定値」とは、例えば第１の受光手段固有の分解能及び第２の受光手段固有の分解能をそれぞれ第１の周波数に対応する受光信号の出力値で除算した数値を比較して、その大きい数値とする。
【００３０】
以上のようにして、第１のマイクロフォン及び第２のマイクロフォンの存在位置を判定できる。
そして、特に子供には大人向けの背景映像を見せないようにしながら、大人はその背景映像を見ることができるようにするためには、制御手段が請求項４に示すような制御を実行すればよい。
【００３１】
つまり、第１のマイクロフォン及び第２のマイクロフォンの存在位置と、第１の表示方向及び第２の表示方向との対応関係に基づき、第１のマイクロフォン及び第２のマイクロフォンの存在位置が、それぞれ異なる前記表示方向に対応している場合には、第１の表示方向に表示するための映像内容と、第２の表示方向に表示するための映像内容とを異なるものに決定する。一方、そうでない場合には、第１の表示方向に表示するための映像内容を、第２の表示方向に表示するための映像内容と同一のものに決定するのである。
【００３２】
なお、第１の歌唱者と第２の歌唱者の関係については、特に大人と子供という関係のみに限定されるわけではなく、例えば男と女であってもよいし、上司と部下など、種々考えられる。
【００３３】
また、第１の受光手段及び第２の受光手段は、マイクロフォンが利用者によって保持され、外部からの音声を受ける際に、マイクロフォンの外周のいずれの方向から略水平に入射した光であっても受光できるとよい。
【００３４】
すなわち、請求項５に記載のように、第１の受光手段及び第２の受光手段は、それぞれ、第１のマイクロフォン及び第２のマイクロフォンが利用者によって保持され、外部からの音声を受ける際に、第１のマイクロフォン及び第２のマイクロフォンの外周略水平方向から入射した光を集めるように構成された集光体（２５９）と、集光体によって集められた光を受けると受光信号を出力する受光部（２６３）とを備えるとよい。
【００３５】
このように構成されたカラオケ装置によれば、マイクロフォンが利用者によって保持され、外部からの音声を受ける際に、集光体がマイクロフォンの外周略水平方向から入射した光を集めるように構成されているので、マイクロフォンの外周のいずれの方向から略水平に入射した光であっても受光できる。例えばマイクロフォンが略球形の形状を有する受音部（２６５）と、その受音部に接続する握り手部（２５３）とを備えている場合には、外部からの音声を受音する際には、一般的に利用者は受音部を持たずに、握り手部を持つ。よって、例えば集光体は、利用者によって持たれることのない受音部に設けられる。そして、マイクロフォンの外周のいずれの方向から略水平に入射した光であっても受光できるので、例えば歌唱者が、意識的にマイクロフォンに設けられた受光手段を発光手段の方へ向けて握り手部を持つ必要がなく、それぞれの歌唱者の持ちやすいように自由に握り手部を持つことができるので、歌唱者はカラオケに集中して楽しむことができる。
【００３６】
また、上述したようなマイクロフォンを既存のカラオケ装置へ付加できるように、マイクロフォン単体として構成されるとよい。
すなわち、請求項６に記載のように、外部からの音声を受けると音声信号を出力する受音部（２６５）と、マイクロフォンが利用者によって保持され、外部からの音声を受ける際に、マイクロフォンの外周略水平方向から入射した光を集めるように構成された集光体（２５９）と、集光体によって集められた光を受けると受光信号を出力する受光部（２６３）と、を備えるとよい。
【００３７】
このように構成された本発明のマイクロフォンによれば、既存のカラオケ装置を本発明のカラオケ装置の構成になるように改造して、本発明のマイクロフォンを付加することで、次のような効果を奏する。マイクロフォンの外周のいずれの方向から略水平に入射した光であっても受光できるので、例えば歌唱者が、意識的にマイクロフォンに設けられた受光手段を発光手段の方へ向けて握り手部を持つ必要がない。つまり、それぞれの歌唱者の持ちやすいように自由に握り手部を持つことができるので、歌唱者はカラオケに集中して楽しむことができる。
【００３８】
また、マイクロフォンにスピーカが設けられるとよい。
すなわち、請求項７に記載のように、カラオケ楽曲の演奏データと、前記第１のマイクロフォン及び第２のマイクロフォンから入力されたカラオケ歌唱の音声信号とを送信するための音声送信手段と、第１のマイクロフォンに設けられ、音声送信手段によって送信された演奏データと音声信号とを受信する第１の受信手段と、第１のマイクロフォンに設けられ、第１の受信手段によって受信された演奏データと音声信号とを出力するための第１のスピーカと、第２のマイクロフォンに設けられ、音声送信手段によって送信された演奏データと音声信号とを受信する第２の受信手段と、第２のマイクロフォンに設けられ、第２の受信手段によって受信された演奏データと音声信号とを出力するための第２のスピーカと、を備えるとよい。
【００３９】
このように構成されたカラオケ装置によれば、マイクロフォンにスピーカが設けられているので、例えば自動車（４４９）内などの移動体内に設置されるカラオケ装置において、移動中にカラオケ演奏する場合には、次のような効果を奏する。前記スピーカをイヤホン形式のスピーカとすれば助手席や後席に存在する利用者はそれぞれ独立したカラオケ演奏音を楽しむことができる。また、運転者には安全運転の障害とならないようにカラオケ装置本体からのスピーカ音を消し、イヤホン形式のスピーカにより助手席や後席に存在する利用者は移動中にもカラオケ演奏を楽しむことができる。
【００４０】
また、カラオケ装置は、ドラマや映画などのコンテンツを再生できるとよい。
すなわち、請求項８に記載のように、さらに、音声データと映像データとを有するコンテンツデータを記憶するコンテンツ記憶手段を備える。
【００４１】
そして、制御手段は、コンテンツ記憶手段に記憶されているコンテンツデータに基づいてコンテンツを再生し、その再生されたコンテンツの映像を表示手段へ表示させるとともに、その再生されたコンテンツの音声データを第１の受信手段及び第２の受信手段へ送信するよう音声送信手段を制御するとよい。
【００４２】
このように構成されたカラオケ装置によれば、音声データと映像データとを有するコンテンツデータが記憶されたコンテンツ記憶手段が備えられているので、カラオケ演奏だけでなく、ドラマや映画なども楽しむことができる。例えば自動車（４４９）内などの移動体内に設置されるカラオケ装置において、移動中にドラマや映画などのコンテンツを再生する場合には、運転者には安全運転の障害とならないようにカラオケ装置本体からのスピーカ音を消し、前記スピーカをイヤホン形式のスピーカとすれば助手席や後席に存在する利用者は移動中にもドラマや映画などのコンテンツを楽しむことができる。
【００４３】
さらに、例えば後席にそれぞれ第１のマイクロフォン、第２のマイクロフォンを持った２人の利用者が存在し、互いに異なる映像を第１の表示方向及び第２の表示方向へ表示させている場合に、第１のマイクロフォン及び第２のマイクロフォンの存在位置と、第１の表示方向及び第２の表示方向との対応関係を自動的に判定する。そして、その判定した対応関係に基づいて、第１のマイクロフォンを持った利用者が存在すると推定される表示方向に表示するための映像内容及第２のマイクロフォンを持った利用者が存在すると推定される表示方向に表示するための映像内容を決定し、その決定した映像内容に応じた背景映像を表示手段に表示させる。したがって、例えば後席に存在する２人の利用者が席を入れ替えた場合にも、運転者が互いに異なる映像を切り替えるような操作をする必要がないので、運転者には安全運転の障害とならない。
【００４４】
また、上述したようなマイクロフォンを既存のカラオケ装置へ付加できるように、マイクロフォン単体として構成されるとよい。
すなわち、請求項９に記載のように、外部からの音声を受けると音声信号を出力する受音部（２６５）と、マイクロフォンが利用者によって保持され、外部からの音声を受ける際に、マイクロフォンの外周略水平方向から入射した光を集めるように構成された集光体（２５９）と、集光体によって集められた光を受けると受光信号を出力する受光部（２６３）と、音声送信手段によって送信された演奏データと音声信号とを受信する受信手段と、受信手段によって受信された演奏データと音声信号とを出力するためのスピーカと、を備えるとよい。
【００４５】
このように構成された本発明のマイクロフォンによれば、既存のカラオケ装置を本発明のカラオケ装置の構成になるように改造して、本発明のマイクロフォンを付加することで、次のような効果を奏する。マイクロフォンにスピーカが設けられているので、例えば自動車（４４９）内などの移動体内に設置されるカラオケ装置において、移動中にカラオケ演奏する場合には、次のような効果を奏する。運転者には安全運転の障害とならないようにカラオケ装置本体からのスピーカ音を消し、前記スピーカをイヤホン形式のスピーカとすれば助手席や後席に存在する利用者は移動中にもカラオケ演奏を楽しむことができる。
【発明を実施するための最良の形態】
【００４６】
以下に本発明の実施形態を図面とともに説明する。
図１はカラオケ装置１の構成を示すブロック図であり、図２は映像出力及び赤外光受発光に関する構成を示すブロック図である。
【００４７】
［カラオケ装置１の構成の説明］
カラオケ装置１は、図１に示すように、カラオケ装置１全体の動作を制御する制御部１２と、カラオケ装置１をネットワーク１００に接続するためのインタフェース部１４と、演奏楽曲の伴奏内容及び歌詞を示す楽曲データや映像データなどを記憶するハードディスク（ＨＤＤ）１６と、複数のキー・スイッチからなる操作部１８と、リモコン端末２や携帯電話からの赤外線信号を赤外線通信によって受信するための赤外線通信部２０と、操作部１８からの信号を処理する操作処理部２２と、ＨＤＤ１６に記憶された楽曲データから演奏楽曲のオーディオ信号を生成し、生成されたオーディオ信号及びマイクロフォン（以下、マイクという）２５ａ，２５ｂを介して入力された歌唱音声信号を増幅してスピーカ２８へ出力する音声制御部２４と、音声制御部２４によってＨＤＤ１６から取得されたカラオケ楽曲データ（演奏データ）に基づくカラオケ演奏を行うＭＩＤＩ音源３０と、制御部１２によってＨＤＤ１６から取得された映像データを一時的に記憶するビデオＲＡＭ３２，３３と、ビデオＲＡＭ３２，３３に記憶された映像データに基づく映像再生及びその再生される映像の表示部３６での表示を制御する映像制御部３８と、赤外光を放射する赤外光受光部２７ａ，２７ｂと、赤外光受光部２７ａ，２７ｂへ赤外光変調信号をそれぞれ出力する赤外光変調部３５ａ，３５ｂと、赤外光発光部３７ａ、３７ｂからそれぞれ放射された赤外光を受けるための赤外光受光部２７ａ，２７ｂとを備えている。
【００４８】
そして、制御部１２、インタフェース部１４、ＨＤＤ１６、赤外線通信部２０、操作処理部２２、ビデオＲＡＭ３２，３３、映像制御部３８は、各々バス３９によって接続されている。また、制御部１２と音声制御部２４とはＵＳＢ４０によって接続されている。なお、制御部１２は、後述する各種処理を実行する。
【００４９】
ＨＤＤ１６には、このカラオケ装置１の動作を制御するシステムプログラム、アプリケーションプログラム等が記憶されており、カラオケ装置１の電源がオンされて起動プログラムされると、これらのプログラムが制御部１２に読み込まれる。
【００５０】
カラオケ演奏時等にマイク２５ａ，２５ｂから入力された歌唱音声信号は、音声制御部２４において増幅及びＡ／Ｄ変換される。そして、エコー等の音響効果が付加された後、カラオケ演奏音の信号とミキシングされてスピーカ２８へ出力される。上述したマイク２５ａ，２５ｂは、大人用マイク２５ａと子供用マイク２５ｂである。
【００５１】
この大人用マイク２５ａと子供用マイク２５ｂには、それぞれ赤外光受光部２７ａ，２７ｂが設けられている。
赤外光発光部３７ａ，３７ｂは、表示部３６の表示画面外で表示画面の横方向略中央部に配置されている。
【００５２】
一方、映像の再生に関して、制御部１２はＨＤＤ１６に記憶されている背景映像に関する映像データをビデオＲＡＭ３２，３３へ出力し、映像制御部３８を制御することで、この映像データを再生して表示部３６に表示する。ここで、背景映像には、カラオケ曲のジャンルや内容によって、大人向けの映像が含まれている場合と、元々そのような大人向けの映像が含まれない場合とがある。そして、大人向けの映像が含まれる背景映像に関しては、大人向けの映像が含まれた映像データと、そのような大人向けの映像が含まれない映像データの２種類の映像データがセットになっている。
【００５３】
そして、映像出力及び赤外光受発光に関する構成、赤外光発光部３７ａ，３７ｂの構成及び赤外光受光部２７ａ，２７ｂの構成の順に以下説明する。
［映像出力及び赤外光受発光に関する構成の説明］
まず、映像出力に関する構成を説明する。
【００５４】
表示部３６は、例えばデュアルビューディスプレイなどと称される、見る方向によって異なる映像を表示可能な液晶表示器を用いて構成されている。このような表示器は、例えば特開２００２−９９２２３号公報や特開２００５−８４２９９号公報などによって公知になっている。本実施形態では、右画面及び左画面にそれぞれ別の映像を表示することによって、図１０に示すように、右方向から見ると右画像、左方向から見ると左画像が見えることとなる。なお、中央付近から見ると、左右の画像が混ざった画像として見えることとなる。
【００５５】
このようなデュアルビュー表示のため、映像制御部３８は、図２に示すように、第１ＶＧＡ部３８１と、第２ＶＧＡ部３８２と、切替スイッチ部３８３と、第１映像出力部３８４と、第２映像出力部３８５とを備えている。第１ＶＧＡ部３８１はビデオＲＡＭ３２に記憶された映像データに基づく映像再生を司るものであり、同様に、第２ＶＧＡ部３８２はビデオＲＡＭ３３に記憶された映像データに基づく映像再生を司るものである。そして、これら第１ＶＧＡ部３８１及び第２ＶＧＡ部３８２は、切替スイッチ部３８３を介して、第１映像出力部３８４及び第２映像出力部３８５と接続されている。第１映像出力部３８４は表示部３６の右画面への映像表示を司り、第２映像出力部３８５は表示部３６の左画面への映像表示を司るものである。
【００５６】
切替スイッチ部３８３は、４つのスイッチＳ１，Ｓ２，Ｓ３，Ｓ４から構成されており、これらのスイッチＳ１，Ｓ２，Ｓ３，Ｓ４のＯＮ／ＯＦＦを切り替えることによって、以下の４パターンの接続を実現することができるようにされている。
【００５７】
（１）第１ＶＧＡ部３８１と第１映像出力部３８４を接続し、第２ＶＧＡ部３８２と第２映像出力部３８５とを接続する。この場合は、スイッチＳ１，Ｓ２がＯＮであり、スイッチＳ３，Ｓ４がＯＦＦである。
【００５８】
（２）第１ＶＧＡ部３８１と第２映像出力部３８５を接続し、第２ＶＧＡ部３８２と第１映像出力部３８４とを接続する。この場合は、スイッチＳ１，Ｓ２がＯＦＦであり、スイッチＳ３，Ｓ４がＯＮである。
【００５９】
（３）第１ＶＧＡ部３８１と第１映像出力部３８４及び第２映像出力部３８５とを接続する。この場合は、スイッチＳ１，Ｓ３がＯＮであり、スイッチＳ２，Ｓ４がＯＦＦである。
【００６０】
（４）第２ＶＧＡ部３８２と第１映像出力部３８４及び第２映像出力部３８５とを接続する。この場合は、スイッチＳ１，Ｓ３がＯＦＦであり、スイッチＳ２，Ｓ４がＯＮである。
【００６１】
この切替スイッチ部３８３の４つのスイッチＳ１，Ｓ２，Ｓ３，Ｓ４のＯＮ／ＯＦＦは制御部１２が制御可能であり、したがって、制御部１２は、
「ビデオＲＡＭ３２に記憶された映像データを表示部３６の右画面に表示させ、ビデオＲＡＭ３３に記憶された映像データを表示部３６の左画面に表示させる」パターン
「ビデオＲＡＭ３２に記憶された映像データを表示部３６の左画面に表示させ、ビデオＲＡＭ３３に記憶された映像データを表示部３６の右画面に表示させる」パターン
「ビデオＲＡＭ３２に記憶された映像データを表示部３６の左右両画面に表示させる」パターン
「ビデオＲＡＭ３３に記憶された映像データを表示部３６の左右両画面に表示させる」パターン
を任意に切替制御することができる。
【００６２】
次に、赤外光受発光に関する構成を説明する。
図２に示すように、赤外光発光に関する構成は左右対称となっているため、表示部３６の表示画面に向かって右側用の構成要素の符号については数字の後に英字ａを付し、左側用の構成要素の符号については数字の後に英字ｂを付けて区別することとし、特に必要のない限り「右側用」「左側用」とは記載しない。
【００６３】
右側用の構成要素は、赤外光発光部３７ａと、赤外光発光部３７ａに接続されるカラオケ装置本体内部の構成である赤外光変調部３５ａである。一方、左側用の構成要素は、赤外光発光部３７ｂと、赤外光発光部３７ｂに接続されるカラオケ装置本体内部の構成である赤外光変調部３５ｂである。
【００６４】
赤外光発光部３７ａは、赤外光変調部３５ａから出力された赤外光変調信号を入力すると第１の赤外光を放射する。また、赤外光発光部３７ｂは、赤外光変調部３５ｂから出力された赤外光変調信号を入力すると第２の赤外光を放射する。
【００６５】
第１の赤外光と第２の赤外光とは、その赤外光の搬送周波数が相違している。すなわち、第１の赤外光は、第１の搬送周波数で変調された赤外光であり、第２の赤外光は、第２の搬送周波数で変調された赤外光である。つまり、第１の赤外光と第２の赤外光とは、第１の搬送周波数と第２の搬送周波数とでそれぞれ点滅された赤外光である。なお、第１の搬送周波数と第２の搬送周波数とを、例えばそれぞれ３６ｋＨｚと４０ｋＨｚとする。
【００６６】
赤外光発光部３７ａが放射する第１の赤外光及び赤外光発光部３７ｂが放射する第２の赤外光を受けると大人用マイク２５ａに設けられた赤外光受光部２７ａ及び子供用マイク２５ｂに設けられた赤外光受光部２７ｂが受光信号を赤外光変調周波数抽出部１２１へ出力する。そして、赤外光変調周波数抽出部１２１は、赤外光受光部２７ａ及び赤外光受光部２７ｂが出力した受光信号を入力し、その受光信号から赤外光の搬送周波数を計測する。その計測された赤外光の搬送周波数から第１の赤外光か第２の赤外光かを判断できる。なお、赤外光受光部２７ａを設けた大人用マイク２５ａ及び赤外光受光部２７ｂを設けた子供用マイク２５ｂは、カラオケ装置１の本体へ接続されるのであるが、図２においては図示しない。
【００６７】
制御部１２が備える赤外光変調周波数抽出部１２１の構成を図５に基づいて説明する。
図５は制御部１２が備える赤外光変調周波数抽出部１２１の構成を示すブロック図である。
【００６８】
赤外光変調周波数抽出部１２１は、位相比較器１２１ａ、ＬＰＦ（ローパスフィルタ）１２１ｂ及びＶＣＯ（制御発振器）１２１ｃを有するＰＬＬ（位相ロックループ）１２１ｄと、周波数計測部１２１ｅとを備える。ＰＬＬ１２１ｄは、第１の赤外光及び第２の赤外光を受けて出力した受光信号（基準信号）とＶＣＯ１２１ｃの出力信号との位相差を表す信号を位相比較器１２１ａにて生成し、その生成した信号をＶＣＯ１２１ｃの制御信号として、ＬＰＦ（ローパスフィルタ）１２１ｂを介してＶＣＯ１２１ｃへ出力することによってＶＣＯ１２１ｃの搬送周波数を一定周波数に制御する。
【００６９】
そして、周波数計測部１２１ｅは、ＰＬＬ１２１ｄによって一定周波数に制御された搬送周波数を計測する。その計測された赤外光の搬送周波数から第１の赤外光か第２の赤外光かを判断できる。
【００７０】
［赤外光発光部３７ａ，３７ｂの構成の説明］
赤外光発光部３７ａ，３７ｂは、上述したように表示部３６の表示画面外で表示画面の横方向略中央部に配置されているのであるが、赤外光放射の様子を図３に基づいて説明する。
【００７１】
図３（ａ）はカラオケルーム４９内における赤外光放射の様子を示す説明図であり、図３（ｂ）は表示部３６に対する赤外光発光部３７ａ，３７ｂの配置を示す斜視図であり、図３（ｃ）は赤外光発光部３７ａ，３７ｂの構成の一例を示す説明図であり、図３（ｄ）は赤外光発光部３７ａ，３７ｂの構成の他の例を示す説明図である。
【００７２】
赤外光発光部３７ａと赤外光発光部３７ｂとが、図３（ｂ）に示すように、共に表示部３６の表示画面３６ａ外で表示画面３６ａの下縁横方向略中央部の位置に配置されている。なお、赤外光発光部３７ａと赤外光発光部３７ｂとが、共に表示部３６の表示画面３６ａ外で表示画面３６ａの上縁横方向略中央部の位置に配置されていてもよい。また、赤外光発光部３７ａが表示部３６の表示画面３６ａ外で表示画面３６ａの上縁横方向略中央部の位置に配置され、赤外光発光部３７ｂが表示部３６の表示画面３６ａ外で表示画面３６ａの下縁横方向略中央部の位置に配置されていてもよい。さらに、赤外光発光部３７ａが表示部３６の表示画面３６ａ外で表示画面３６ａの下縁横方向略中央部の位置に配置され、赤外光発光部３７ｂが表示部３６の表示画面３６ａ外で表示画面３６ａの上縁横方向略中央部の位置に配置されていてもよい。つまり、赤外光発光部３７ａ，３７ｂが、表示部３６の表示画面３６ａ外で表示画面３６ａの横方向略中央部に配置されている。
【００７３】
そして、図３（ａ）に示すように、赤外光発光部３７ａは表示部３６の表示画面に向かって右側の領域（以下、右領域とも称す）へ第１の赤外光を放射し、赤外光発光部３７ｂは表示部３６に向かって左側の領域（以下、左領域とも称す）へ第２の赤外光を放射している。なお、図３（ａ）は右領域に大人の利用者が存在し、左領域に子供の利用者が存在している様子を示している。
【００７４】
また、赤外光発光部３７ａ，３７ｂは、図３（ｂ）に示すように、それぞれ発光ランプ３７１ａ，３７１ｂと反射板３７３ａ，３７３ｂを備えている。そして、発光ランプ３７１ａ，３７１ｂからそれぞれ放出される第１の赤外光と第２の赤外光は、反射板３７３ａと３７３ｂによってそれぞれ右領域と左領域へ放射される。発光ランプ３７１ａ，３７１ｂは、赤外線ランプでもよいし、赤外線発光ダイオードでもよい。
【００７５】
反射板３７３ａ，３７３ｂは、図３（ｃ）に示すように、それぞれ板金または樹脂成形品からなり、表示部３６に対向する略矩形状の平板部３７３１ａ，３７３１ｂと、その平板部３７３１ａ，３７３１ｂの一方の縁から略直角に立ち上がった略矩形状の立上部３７３３ａ，３７３３ｂとを有している。立上部３７３３ａ，３７３３ｂが立ち上がっている方向の平板部３７３１ａ，３７３１ｂの表面部と、この表面部と接続している立上部３７３３ａ，３７３３ｂの表面部には、光を反射するための加工処理が施されている。平板部３７３１ａ，３７３１ｂの表面部と立上部３７３３ａ，３７３３ｂの表面部とが接続する縁の略中央部であって、それらの表面部側にそれぞれ発光ランプ３７１ａ，３７１ｂが設けられ、反射板３７３ａ，３７３ｂの平板部３７３１ａ，３７３１ｂと立上部３７３３ａ，３７３３ｂが発光ランプ３７１ａ，３７１ｂからそれぞれ放出される第１の赤外光と第２の赤外光を右領域と左領域へそれぞれ放射可能な大きさに形成されている。
【００７６】
また、反射板３７３ａ，３７３ｂは、図３（ｄ）に示すように、さらに、それぞれ立上部３７３３ａ，３７３３ｂが立ち上がっている縁に略垂直な平板部３７３１ａ，３７３１ｂの一対の縁から略直角に立ち上がり、前記縁に略垂直な立上部３７３３ａ，３７３３ｂの一対の縁へ延びて略直角三角形の形状をなす一対の蓋部３７３５ａ，３７３５ｂと３７３７ａ，３７３７ｂを有していてもよい。この一対の蓋部３７３５ａ，３７３５ｂと３７３７ａ，３７３７ｂの対向するそれぞれの表面部には、光を反射するための加工処理が施されている。このように構成された反射板３７３ａ，３７３ｂによれば、発光ランプ３７１ａ，３７１ｂからそれぞれ放出される第１の赤外光と第２の赤外光とが上下方向に放出されず、それらの放出されない光が平板部３７３１ａ，３７３１ｂの表面部と立上部３７３３ａ，３７３３ｂの表面部によって反射されて右領域と左領域へそれぞれ放射される。つまり、発光ランプ３７１ａ，３７１ｂからそれぞれ放出される第１の赤外光と第２の赤外光をそれぞれ効果的に右領域と左領域へ放射できる。
【００７７】
［赤外光受光部２７ａ，２７ｂの構成の説明］
赤外光受光部２７ａと２７ｂが、上述したように大人用マイク２５ａと子供用マイク２５ｂにそれぞれ設けられているが、それぞれ構成が同じであるので、構成要素の符号については数字の後に英字ａ，ｂを付さないで以下説明する。
【００７８】
図４（ａ）は赤外光受光部２７が設けられているマイク２５の外観を示す斜視図であり、図４（ｂ）はそのマイク２５の縦断面図である。
マイク２５は、略球形の形状を有する受音受光部２５０と、その受音受光部２５０に接続する握り手部２５６と、カラオケ装置１の本体へ接続させるための端子部２５７とを備えている。
【００７９】
受音受光部２５０は、図４（ａ）に示すように、上部２５１と、透光部２５３と、下部２５５とを備えている。以下、順に説明する。
上部２５１は、マイク２５の内部を保護する金網と、その金網の内側に取り付けられる遮光性を有する防風部材例えばゴム製のスポンジシート材とからなり、円蓋状の形状をなし、外部からの音声を内部へ導入する。
【００８０】
透光部２５３は、透明な材料例えばガラスまたは樹脂成形品からなり、リング状の形状をなし、その円縁一端部を上部２５１の円縁端部に接続し、外部からの光を内部へ導入する。
【００８１】
下部２５５は、マイク２５の内部を保護する金網と、その金網の内側に取り付けられる遮光性を有する防風部材例えばゴム製のスポンジシート材とからなり、円蓋状の形状をなし、その円縁端部を透光部２５３の円縁他端部に接続し、外部からの音声を内部へ導入する。
【００８２】
握り手部２５６は、板金または樹脂成形品からなり、先端を切り落とした円錐状の形状をなし、その直径が大きい側の円縁一端部を下部２５５の頭頂部に接続している。そして、握り手部２５６の円縁他端部から端子部２５７へ、受音受光部２５０からの音声信号、受光信号を伝送するためのケーブル２５８が設けられている。
【００８３】
また、受音受光部２５０は、図４（ｂ）に示すように、透光部２５３の内部に配置され透光部２５３によって内部へ導入された光を集める集光体２５９と、この集光体２５９によって集められた光を屈曲させるための集光レンズ２６１と、この集光レンズ２６１によって屈曲された光を受ける受光部２６３とを備えている。なお、受光部２６３が光を受けて出力する受光信号をケーブル２５８へ伝送するためのケーブル（図示しない）が設けられている。
【００８４】
さらに、受音受光部２５０は、上部２５１または下部２５５によって内部へ導入された音声を受ける受音部２６５を備えている。そして、受音部２６５が音声を受けて出力する音声信号をケーブル２５８へ伝送するためのケーブル（図示しない）が設けられている。
【００８５】
以下、上述した集光体２５９、集光レンズ２６１、受光部２６３及び受音部２６５について順次説明する。
集光体２５９は、金属または樹脂成形品からなり、略円錐状の形状をなし、この略円錐状の表面部には、光を反射するための加工処理が施されている。なお、この略円錐状の形状は、軸心に対して直交する円の直径が軸方向の位置の変化に対して１次関数的に減少して形成される面であってもよいし、２次関数的に減少して形成される面であってもよい。ここで、１次関数的とはこの略円錐状の面の軸心に対して直交する方向へ投影してなる外縁が略直線であることを指し、２次関数的とはこの略円錐状の面の軸心に対して直交する方向へ投影してなる外縁が星芒形（アステロイド）などの曲線も含むことを指す。
【００８６】
前記１次関数的に減少して形成される面の場合には、光の入射角度の変化度合いに対して反射後の射出角度の変化度合いは同じとなるが、前記２次関数的に減少して形成される面の場合には、光の入射角度の変化度合いに対して反射後の射出角度の変化度合いが小さくなる。つまり、同じ光の入射角度の変化度合いであれば、１次関数的に減少して形成される面の場合に比べると２次関数的に減少して形成される面の場合の方が、反射後の射出角度の変化度合いが小いので、反射光を集め易い。
【００８７】
集光レンズ２６１は、透明な材料例えばガラスまたは樹脂成形品からなり、凸レンズの形状をなし、集光体２５９によって集められた光を受光部２６３の中心部方向へ屈曲させる。
【００８８】
受光部２６３は、光を受けて受光信号を出力する受光センサ例えばフォトトランジスタで構成される。
受音部２６５は、音を受けて音声信号を出力するダイナミック型（導電型）マイクロフォンでもよいし、コンデンサー型（静電型）マイクロフォンでもよい。
【００８９】
赤外光発光部３７ａと赤外光発光部３７ｂとが、図３（ｂ）に示すように、共に表示部３６の表示画面３６ａ外で表示画面３６ａの下縁横方向略中央部の位置に配置されている。そして、図３（ａ）に示すように、赤外光発光部３７ａ及び赤外光発光部３７ｂがそれぞれ第１の赤外光及び第２の赤外光を放射して、その赤外光を受けるとマイク２５に設けられている赤外光受光部２７が受光信号を赤外光変調周波数抽出部１２１へ出力し、赤外光変調周波数抽出部１２１がその受光信号から赤外光の搬送周波数を計測する。そして、その計測された赤外光の搬送周波数から第１の赤外光と判断した場合には、マイク２５の存在位置を右領域と推定できる。一方、その計測された赤外光の搬送周波数から第２の赤外光と判断した場合には、マイク２５の存在位置を左領域と推定できる。また、その計測された赤外光の搬送周波数から第１の赤外光及び第２の赤外光と判断できない場合には、マイク２５の存在位置を右領域と左領域の境界領域と推定できる。
【００９０】
一方、発光と受光の構成要素の配置を上述した構成と逆にすることも考えられる。
すなわち、第１の赤外光を放射する赤外光発光部が大人用マイクに設けられ、第２の赤外光を放射する赤外光発光部が子供用マイクに設けられる。そして、右領域から放射された赤外光を受けると受光信号を出力する右側用の赤外光受光部と、左領域から放射された赤外光を受けると受光信号を出力する左側用の赤外光受光部とが、表示部の表示画面外で表示画面の横方向略中央部に隣接して配置される。
【００９１】
しかし、このように発光と受光の構成要素の配置を逆にすると次のような問題が発生する。赤外光発光部には指向性があるので、赤外光発光部から放射する赤外光が赤外光受光部によって受けられるように、歌唱者が意識的に大人用マイク及び子供用マイクに設けられた赤外光発光部を赤外光受光部の方向へ向けて握り手部を持つ必要がある。つまり、それぞれの歌唱者の持ちやすいように自由に握り手部を持つことができないので、歌唱者はカラオケに集中できず、カラオケを楽しむことが難しい。
【００９２】
そのような理由から、赤外光受光部２７がそれぞれマイクに設けられ、赤外光発光部３７ａ，３７ｂが、表示部３６の表示画面３６ａ外で表示画面３６ａの横方向略中央部に配置されているのである。
【００９３】
なお、大人用マイク２５ａと子供用マイク２５ｂを制御部１２がどのように識別するかについては、例えば下記のような工夫が考えられる。
（１）大人用マイク２５ａと子供用マイク２５ｂを固定的にカラオケ装置１の本体に接続する。この場合は、制御部１２は確実に両者を区別できる。
【００９４】
（２）マイクを接続するためのジャック位置を決めておく。例えば２本のマイクジャックをカラオケ装置１の本体に準備し、例えば大人用マイク２５ａは右側のジャック、子供用マイク２５ｂは左側のジャックに接続するようにする。この場合、例えばマイクピンの形状及びマイクジャックの形状を大人用と子供用で異なるものとし、それぞれ対応するマイクジャックにしかマイクピンを差し込めないようにすれば、両者を間違えて接続することはなくなる。
【００９５】
（３）マイクをジャックに接続した際に、電気的あるいは機械的に検出するようにしてもよい。機械的に検出する場合には、マイクピンの形状を変更することとなる。
なお、大人用マイク２５ａが「第１のマイクロフォン」に相当し、子供用マイク２５ｂが「第２のマイクロフォン」に相当する。表示部３６が「表示手段」に相当し、制御部１２が「制御手段」に相当し、赤外光発光部３７ａ，３７ｂが「第１の発光手段」、「第２の発光手段」にそれぞれ相当し、赤外光受光部２７ａ，２７ｂが「第１の受光手段」、「第２の受光手段」にそれぞれ相当する。赤外光変調周波数抽出部１２１が「周波数計測手段」に相当し、ＨＤＤ１６が「記憶手段」に相当し、集光体２５９と集光レンズ２６１とが「集光体」に相当する。
【００９６】
以下、カラオケ装置１の制御部１２が実行する各種処理を説明する。
［背景映像の表示制御処理の説明］
カラオケ装置１の制御部１２が実行する背景映像の表示制御処理について図６、図７のフローチャート等に基づいて説明する。
【００９７】
図６に示すフローチャートは、所定のカラオケ楽曲が選択されている場合の制御処理全体を示している。ここで、「所定のカラオケ楽曲」とは、背景映像に大人向けの映像内容が含まれているような楽曲である。曲番号と、この「所定のカラオケ楽曲」か否かを示す情報（例えばフラグ）との対応関係を示すテーブルがＨＤＤ１６に記憶されている、したがって、操作部１８で受け付けたカラオケ演奏楽曲の選曲番号のデータは操作処理部２２によって制御部１２へ送信されるのであるが、制御部１２は、操作処理部２２から選曲番号のデータを受信すると、上述の対応関係を示すテーブルをＨＤＤ１６から読み出して参照することで、「所定のカラオケ楽曲」か否かを判定し、「所定のカラオケ楽曲」であれば、図６のフローチャートに示す処理を開始する。
【００９８】
なお、「所定のカラオケ楽曲」以外の場合のカラオケ楽曲が選択された場合の処理については、ここでは省略する。
図６のフローチャートに示す処理が開始すると、まず曲のタイトルを表示部３６へ表示する（Ｓ１０）。このタイトル表示は、楽曲データ中に含まれているタイトルデータを用いて行う。
【００９９】
ここで、図８を参照して楽曲データフォーマットについて説明する。楽曲データは、楽曲に関する管理情報を記憶しているヘッダ情報部、曲のタイトルを画像表示する際に用いるタイトル画像情報を記憶しているタイトルデータ部、楽曲演奏用のＭＩＤＩデータを記憶しているＭＩＤＩデータ部によって構成されている。
【０１００】
この内、ヘッダ情報部は、ＭＩＤＩデータサイズとタイトルデータサイズを含んでいる。また、ＭＩＤＩデータ部は、前奏部分のＭＩＤＩデータ、タイトル消去を示すデータ、１コーラス目に対応するＭＩＤＩデータ、１コーラス終了を示すデータ、２コーラス目に対応するＭＩＤＩデータ、２コーラス終了を示すデータ、３コーラス目に対応するＭＩＤＩデータ、後奏であることを示すデータ、後奏部分のＭＩＤＩデータによって構成されている。図６のＳ１０では、楽曲データ曲のヘッダ情報の次に含まれているタイトルデータを読み出し、表示部３６へ表示する。Ｓ１０の処理が終了したらＳ３０の処理へ移行する。
【０１０１】
また、図６のフローチャートに示す処理が開始すると、Ｓ１０の処理とともに、背景映像の出力処理を実行する（Ｓ４０）。この背景映像出力処理の詳細については、図７のフローチャートを参照して後で説明する。Ｓ４０の処理が終了したらＳ５０の処理へ移行する。
【０１０２】
Ｓ３０の処理においては、カラオケ演奏を開始する。ここでいうカラオケ演奏の開始とは、図８に示す楽曲データ中のＭＩＤＩデータを再生出力させる処理である。Ｓ３０の処理が終了したらＳ５０の処理へ移行する。
【０１０３】
Ｓ５０の処理においては、演奏終了か否かを判断する。演奏終了していないと判断した場合には（Ｓ５０：ＮＯ）、Ｓ４０の処理へ戻り、上述した処理へ移行する。つまり、演奏終了（Ｓ５０：ＹＥＳ）するまで、Ｓ４０の処理を繰り返し行う。一方、演奏終了したと判断した場合には（Ｓ５０：ＹＥＳ）、本処理を終了する。
【０１０４】
［背景映像出力処理］
それでは、背景映像出力処理の詳細について、図７のフローチャートを参照して説明する。
【０１０５】
まず、赤外光発光部３７ａ及び赤外光発光部３７ｂからそれぞれ第１の赤外光及び第２の赤外光を放射する（Ｓ２１０）。そして、その第１の赤外光及び第２の赤外光を大人用マイク２５ａに設けられた赤外光受光部２７ａ及び子供用マイク２５ｂに設けられた赤外光受光部２７ｂで受けて大人用マイク２５ａ及び子供用マイク２５ｂそれぞれの存在位置を推定する（Ｓ２２０〜Ｓ２９０）。
【０１０６】
図３（ａ）を参照して説明したように、赤外光発光部３７ａ及び赤外光発光部３７ｂによってそれぞれ放射された第１の赤外光及び第２の赤外光を受けると大人用マイク２５ａに設けられた赤外光受光部２７ａ及び子供用マイク２５ｂに設けられた赤外光受光部２７ｂが受光信号を赤外光変調周波数抽出部１２１へ出力し、赤外光変調周波数抽出部１２１がその受光信号から赤外光の搬送周波数を計測する。そして、その計測された赤外光の搬送周波数から第１の赤外光と判断した場合には、大人用マイク２５ａ及び子供用マイク２５ｂそれぞれの存在位置を右領域と推定する。一方、その計測された赤外光の搬送周波数から第２の赤外光と判断した場合には、大人用マイク２５ａ及び子供用マイク２５ｂそれぞれの存在位置を左領域と推定する。また、その計測された赤外光の搬送周波数から第１の赤外光及び第２の赤外光と判断できない場合には、大人用マイク２５ａ及び子供用マイク２５ｂそれぞれの存在位置を右領域と左領域の境界領域と推定する。
【０１０７】
そして、大人用マイク２５ａに設けられた赤外光受光部２７ａ及び子供用マイク２５ｂに設けられた赤外光受光部２７ｂで受けた赤外光の搬送周波数に基づいて、図１０に示す右映像が見える領域、左映像が見える領域、それらの間にある左右映像が混ざって見える領域の何れに大人用マイク２５ａあるいは子供用マイク２５ｂが存在するかの対応関係を把握することができる。具体的には、図３（ａ）に示す右領域、左領域及び境界領域を、それぞれ図１０に示す右映像が見える領域、左映像が見える領域及び左右映像が混ざって見える領域に対応させる。
【０１０８】
したがって、その対応関係を制御部１２内のメモリに記憶させておき、その対応関係を用いて子供用マイク２５ｂの存在位置（存在領域）の判定（Ｓ２２０）を行い、右側に位置するのか（Ｓ２３０）、中央に位置するのか（Ｓ２４０）、左側に位置するのか（Ｓ２５０）を決定する。同様に、上記対応関係を用いて大人用マイク２５ａの位置判定（Ｓ２６０）を行い、右側に位置するのか（Ｓ２７０）、中央に位置するのか（Ｓ２８０）、左側に位置するのか（Ｓ２９０）を決定する。
【０１０９】
そして、子供用マイク２５ｂの位置が右側であり且つ大人用マイク２５ａの位置が左側であるか否か判定する（Ｓ３００）。そして、子供用マイク２５ｂの位置が右側であり且つ大人用マイク２５ａの位置が左側である場合には（Ｓ３００：ＹＥＳ）、表示部３６の右画面に出力する映像は「非アダルト」、左画面に出力する映像は「アダルト」となるように制御する（Ｓ３１０）。本実施形態では、ビデオＲＡＭ３２に大人向けの「アダルト映像」が記憶されて第１ＶＧＡ部３８１へ供給され、他方のビデオＲＡＭ３３に子供向けの「非アダルト映像」が記憶されて第２ＶＧＡ部３８２へ供給されるように構成されている。そのため、具体的には、スイッチＳ１，Ｓ２がＯＮ且つスイッチＳ３，Ｓ４がＯＦＦとなるよう制御する。このようにすることで、第１ＶＧＡ部３８１と第１映像出力部３８４とが接続し、第２ＶＧＡ部３８２と第２映像出力部３８５とが接続する。したがって、ビデオＲＡＭ３２に記憶されたアダルト映像が表示部３６の右画面に表示され、ビデオＲＡＭ３３に記憶された非アダルト映像が表示部３６の左画面に表示されることとなる。
【０１１０】
一方、Ｓ３００にて否定判定された場合には、Ｓ３２０へ移行して、子供用マイク２５ｂの位置が左側であり且つ大人用マイク２５ａの位置が右側であるか否か判定する。そして、子供用マイク２５ｂの位置が左側であり且つ大人用マイク２５ａの位置が右側である場合には（Ｓ３２０：ＹＥＳ）、表示部３６の右画面に出力する映像は「アダルト」、左画面に出力する映像は「非アダルト」となるようにする（Ｓ３３０）。具体的には、スイッチＳ１，Ｓ２がＯＦＦ且つスイッチＳ３，Ｓ４がＯＮとなるよう制御する。このようにすることで、第１ＶＧＡ部３８１と第２映像出力部３８５とが接続し、第２ＶＧＡ部３８２と第１映像出力部３８４とが接続する。したがって、ビデオＲＡＭ３２に記憶されたアダルト映像が表示部３６の左画面に表示され、ビデオＲＡＭ３３に記憶された非アダルト映像が表示部３６の右画面に表示されることとなる。
【０１１１】
また、Ｓ３２０にて否定判定された場合には、Ｓ３４０へ移行して、表示部３６の左右画面に出力する映像を共に「非アダルト」となるようにする。具体的には、スイッチＳ１，Ｓ３がＯＦＦ且つスイッチＳ２，Ｓ４がＯＮとなるよう制御する。このようにすることで、第２ＶＧＡ部３８２と第１映像出力部３８４及び第２映像出力部３８５とが接続される。したがって、ビデオＲＡＭ３３に記憶された非アダルト映像が表示部３６の左右画面に表示されることとなる。
【０１１２】
なお、Ｓ３２０にて否定判定された場合とは、子供用マイク２５ｂの位置及び大人用マイク２５ａの位置が共に同じ位置である場合、あるいは何れか一方が中央に位置する場合を意味する。図１０を参照して説明したように、中央付近から見ると左右の画像が混ざった画像として見えることとなる。したがって、子供にアダルト映像を見せないためには、子供が中央にいる場合、つまり子供用マイク２５ｂの位置が中央の場合には、左右画面の何れも非アダルト映像とする必要がある。また、子供が左右何れかにおり大人が中央にいる場合、子供には非アダルト映像しか見えないが、仮に左右で異なる映像を表示すると、中央に居る大人は混ざった映像を見ることとなる。このような混ざった映像は見るに耐えない映像なので、左右両画面を同じ映像、つまり子供用の非アダルト映像を表示させるのである。
【０１１３】
図９（ａ）は、以上説明した背景映像出力処理における大人用マイク２５ａ及び子供用マイク２５ｂの位置と、左右画面の映像内容の対応関係を示す説明図であり、図９（ｂ）は、大人用マイク２５ａ及び子供用マイク２５ｂの位置と、切替スイッチ部３８３の４つのスイッチＳ１，Ｓ２，Ｓ３，Ｓ４のＯＮ／ＯＦＦ状態の対応関係を示す説明図である。
【０１１４】
［効果の説明］
（１）本実施形態のカラオケ装置１によれば、大人と子供が２人で一緒にカラオケ曲を歌唱する場合であって、背景映像に大人向けの映像内容が含まれている楽曲を選択した場合には、上述した背景映像出力処理（図６のＳ４０及び図７参照）を実行することにより、大人用マイク２５ａ及び子供用マイク２５ｂの位置を介して大人と子供の位置関係を自動的に判定する。そして、その判定した対応関係に基づいて、表示部３６の左右画面へ表示する背景映像の内容を制御する。具体的には、子供には大人向けの背景映像を見せないようにしながら、大人はその背景映像を見ることができるようにすることができる。つまり、大人・子供それぞれに適した背景映像を表示させることができるため、よりカラオケを楽しむことができる。
【０１１５】
（２）また、本実施形態のカラオケ装置１では、背景映像に大人向けの映像内容が含まれている楽曲が選択されてからカラオケ演奏終了するまでの間、上述した背景映像出力処理（図６のＳ４０及び図７参照）を実行するので、非アダルト映像しか見えていない場所にいた子供がアダルト映像も見えるような位置に来た場合、あるいは来そうな場合に、子供には大人向けの背景映像を見せないようにすることができる。
【０１１６】
［他の実施形態］
以上、本発明の実施形態について説明したが、本発明は上記実施形態に限定されるものではなく、以下のような様々な態様にて実施することが可能である。
【０１１７】
（１）上記実施形態では、赤外光発光部３７ａ，３７ｂが表示部３６の表示画面３６ａ外で表示画面３６ａの横方向略中央部に隣接して配置され、赤外光発光部３７ａは右領域へ第１の赤外光を放射し、赤外光発光部３７ｂは左領域へ第２の赤外光を放射するようにして、それぞれの領域が重ならないように構成されていたが、これには限らない。一対の赤外光発光部が表示部３６の表示画面３６ａ外で表示画面３６ａに対して左右対称に配置され、それぞれの赤外光発光部から放射される光の領域が重なっていてもよい。
【０１１８】
以下、このように構成された赤外光放射の様子を図１１に基づいて説明する。
図１１（ａ）はカラオケルーム４９内における一対の赤外光発光部３７ｃ，３７ｄによる赤外光放射の様子を示す説明図であり、図１１（ｂ）は表示部３６に対する赤外光発光部３７ｃ，３７ｄの配置を示す斜視図である。
【０１１９】
第１の発光手段と第２の発光手段とが、図１１（ｂ）に示すように、共に表示部３６の表示画面３６ａ外で表示画面３６ａの下縁の下方部の位置であって、表示画面３６ａに対して左右対称に所定間隔例えば表示画面３６ａの横幅寸法の略半分の間隔で配置されている。なお、赤外光発光部３７ｃと赤外光発光部３７ｄとが、共に表示部３６の表示画面３６ａ外で表示画面３６ａの上縁の上方部の位置であって、表示画面３６ａに対して左右対称に所定間隔例えば表示画面３６ａの横幅寸法の略半分の間隔で配置されていてもよい。つまり、赤外光発光部３７ｃ，３７ｄが、表示部３６の表示画面３６ａ外で表示画面３６ａに対して左右対称に所定間隔例えば表示画面３６ａの横幅寸法の略半分の間隔で配置されている。
【０１２０】
そして、図１１（ａ）に示すように、赤外光発光部３７ｃは表示部３６の表示画面に向かって略正面右側の領域（以下、略右領域とも称す）へ第１の赤外光を放射し、赤外光発光部３７ｄは表示部３６に向かって略正面左側の領域（以下、略左領域とも称す）へ第２の赤外光を放射している。赤外光発光部３７ｃ，３７ｄから放射される光の領域は重なるが、図１１（ａ）においては、放射される光が、略右領域と略左領域との境界領域で途切れている。これについては後で説明する。なお、図１１（ａ）は略右領域に大人の利用者が存在し、略左領域に子供の利用者が存在している様子を示している。
【０１２１】
また、赤外光発光部３７ｃ，３７ｄは、図１１（ｂ）に示すように、それぞれ発光ランプ３７１ｃ，３７１ｄと反射板３７３ｃ，３７３ｄを備えている。そして、発光ランプ３７１ｃ，３７１ｄからそれぞれ放出される第１の赤外光と第２の赤外光は、反射板３７３ｃと３７３ｄによってそれぞれ略右領域と略左領域へ放射される。なお、発光ランプ３７１ｃ，３７１ｄ及び反射板３７３ｃ，３７３ｄの構成は、上述した発光ランプ３７１ａ，３７１ｂ及び反射板３７３ａ，３７３ｂの構成と同じでよいので説明を省略する。
【０１２２】
そして、赤外光発光部３７ｃ及び赤外光発光部３７ｄから大人用マイク２５ａに設けられた赤外光受光部２７ａ及び子供用マイク２５ｂに設けられた赤外光受光部２７ｂまでの距離が同じであれば、赤外光受光部２７ａ及び赤外光受光部２７ｂによって出力された第１の赤外光及び第２の赤外光にそれぞれ対応する受光信号の出力値が略同一となるように予め設定しておく。例えば、赤外光発光部３７ｃ及び赤外光発光部３７ｄから大人用マイク２５ａに設けられた赤外光受光部２７ａまでの距離が同じ位置において第１の赤外光及び第２の赤外光にそれぞれ対応する受光信号の出力値が略同一になるように、赤外光発光部３７ｃもしくは赤外光発光部３７ｄの発光出力を調整すればよい。なお、赤外光発光部３７ｃ及び赤外光発光部３７ｄからの距離が同じ位置とは、赤外光発光部３７ｃと赤外光発光部３７ｄとの略垂直二等分線上の位置に相当する。
【０１２３】
そして、上述した［背景映像出力処理］のＳ２２０〜Ｓ２９０の処理においては、次のようにして大人用マイク２５ａ及び子供用マイク２５ｂそれぞれの存在位置を推定する。
図１１（ａ）に示すように、赤外光発光部３７ｃ及び赤外光発光部３７ｄによってそれぞれ放射された第１の赤外光及び第２の赤外光を受けると大人用マイク２５ａに設けられた赤外光受光部２７ａ及び子供用マイク２５ｂに設けられた赤外光受光部２７ｂが受光信号を赤外光変調周波数抽出部１２１へ出力し、赤外光変調周波数抽出部１２１がその受光信号から赤外光の搬送周波数を計測する。そして、その計測された赤外光の搬送周波数から第１の赤外光のみと判断した場合には、大人用マイク２５ａ及び子供用マイク２５ｂそれぞれの存在位置を略右領域と推定する。一方、その計測された赤外光の搬送周波数から第２の赤外光のみと判断した場合には、大人用マイク２５ａ及び子供用マイク２５ｂそれぞれの存在位置を略左領域と推定する。
【０１２４】
また、その計測された赤外光の搬送周波数から第１の赤外光と第２の赤外光とであると判断した場合には、第１の赤外光に対応する受光信号の出力値と、第２の赤外光に対応する受光信号の出力値との出力差を算出する。そして、その算出された出力差を第１の赤外光に対応する受光信号の出力値で除算し、その除算した数値の絶対値が所定値以上の場合には、第１の赤外光に対応する受光信号の出力値と、第２の赤外光に対応する受光信号の出力値とを比較する。
【０１２５】
その比較の結果、第１の赤外光に対応する受光信号の出力値が大きいと判断した場合には、大人用マイク２５ａ及び子供用マイク２５ｂそれぞれの存在位置を略右領域と推定する。一方、第２の赤外光に対応する受光信号の出力値が大きいと判断した場合には、大人用マイク２５ａ及び子供用マイク２５ｂそれぞれの存在位置を略左領域と推定する。そして、上述した除算した数値の絶対値が所定値以上でない場合には、大人用マイク２５ａ及び子供用マイク２５ｂそれぞれの存在位置を略右領域と略左領域の境界領域と推定する。また、この略右領域と略左領域の境界領域が、図１１（ａ）において放射される光が途切れている領域に相当する。
【０１２６】
なお、上述した「除算した数値の絶対値が所定値以上」における「所定値」とは、例えば赤外光受光部２７ａ固有の分解能及び赤外光受光部２７ｂ固有の分解能をそれぞれ第１の赤外光に対応する受光信号の出力値で除算した数値を比較して、その大きい数値とする。
【０１２７】
よって、計測された赤外光の搬送周波数から第１の赤外光と第２の赤外光とであると判断した場合であっても、上述した除算した数値の絶対値が所定値以上の場合には、受光信号の出力値が大きいと判断した赤外光の搬送周波数に基づいて、図１０に示す右映像が見える領域、左映像が見える領域、それらの間にある左右映像が混ざって見える領域の何れに大人用マイク２５ａあるいは子供用マイク２５ｂが存在するかの対応関係を把握することができる。具体的には、図１１（ａ）に示す略右領域、略左領域及び境界領域を、それぞれ図１０に示す右映像が見える領域、左映像が見える領域及び左右映像が混ざって見える領域に対応させる。
【０１２８】
なお、赤外光発光部３７ｃ，３７ｄが「第１の発光手段」、「第２の発光手段」にそれぞれ相当する。
このように構成された実施形態においては、赤外光発光部３７ｃ，３７ｄが、表示部３６の表示画面３６ａ外で表示画面３６ａに対して左右対称の位置に配置されているので、三角測量と同じようにして、大人用マイク２５ａ及び子供用マイク２５ｂの存在位置を推定できる。
【０１２９】
（２）上記実施形態では、カラオケルーム４９内のカラオケ装置１における実施を想定したが、自動車内などの移動体内の車載カラオケ装置において実施してもよい。以下、自動車４４９内における実施形態を図１２（ａ）に基づいて説明する。
【０１３０】
図１２（ａ）は自動車４４９内における一対の赤外光発光部３７ａ，３７ｂの配置の様子を示す説明図である。
赤外光発光部３７ａ，３７ｂは、図１２（ａ）に示すように、表示部３６の表示画面外で表示画面の横方向略中央部に隣接して配置されている。そして、赤外光発光部３７ａは表示部３６の表示画面に向かって右側の領域（以下、右領域とも称す）へ第１の赤外光を放射し、赤外光発光部３７ｂは表示部３６に向かって左側の領域（以下、左領域とも称す）へ第２の赤外光を放射している。また、図１２（ａ）は前席の右領域（運転席）に大人の利用者が存在し、前席の左領域（助手席）に子供の利用者が存在し、後席に１人の子供の利用者が存在している様子を示している。そして、後席の子供は右領域へも左領域へも移動可能な様子を示している。なお、例えばカーナビの表示部がデュアルビューディスプレイであれば、このカーナビの表示部をカラオケ装置１の表示部３６として使用することもできる。
【０１３１】
このように構成された実施形態においては、自動車４４９内などの移動体内において実施することができるので、自動車４４９内において大人と子供が２人で一緒にカラオケ曲を歌唱する場合であって、背景映像に大人向けの映像内容が含まれている楽曲を選択した場合には、上述した背景映像出力処理（図６のＳ４０及び図７参照）を実行することにより、大人用マイク２５ａ及び子供用マイク２５ｂの位置を介して大人と子供の位置関係を自動的に判定する。そして、その判定した対応関係に基づいて、表示部３６の左右画面へ表示する背景映像の内容を制御する。具体的には、助手席もしくは後席に位置する子供には大人向けの背景映像を見せないようにしながら、運転席に位置する大人はその背景映像を見ることができるようにすることができる。つまり、大人・子供それぞれに適した背景映像を表示させることができるため、よりカラオケを楽しむことができる。
【０１３２】
また、自動車４４９内に限らず、バス内でもよいし、列車内、飛行機内など種々の移動体内での実施が考えられる。
（３）上記実施形態では、赤外光受光部２７が設けられているマイク２５がカラオケ装置１の本体へケーブルで接続された有線通信であったが、無線通信でもよい。つまり、マイクは歌唱音声信号と受光信号を無線通信で送信するための送信部を備え、カラオケ装置はマイクを介して入力された歌唱音声信号と受光信号を無線通信にて受信するための受信部を備える。以下、このように構成されたマイクの実施形態を図１２（ｂ）〜（ｄ）に基づいて説明する。
【０１３３】
図１２（ｂ）は首輪部２６７を有する無線通信式のマイク２５ｃを示す説明図であり、図１２（ｃ）はそのマイク２５ｃを利用者が装着した状態を示す説明図であり、図１２（ｄ）はバッジタイプで無線通信式のマイク２５ｄを利用者が装着した状態を示す説明図である。
【０１３４】
無線通信式のマイク２５ｃは、図１２（ｂ）に示すように、マイク２５に対して歌唱音声信号と、赤外光受光部２７から出力され、無線周波数で再変調された受光信号とを無線通信で送信するための送信部（図示せず）と、アンテナ２６９と、首輪部２６７を備える。そして、利用者は、図１２（ｃ）に示すように、マイク２５ｃに備えられた首輪部２６７を首に掛けて使用する。
【０１３５】
無線通信式のマイク２５ｄは、マイク２５ｃと同様にマイク２５に対して歌唱音声信号と、赤外光受光部２７から出力され、無線周波数で再変調された受光信号とを無線通信で送信するための送信部（図示せず）と、アンテナ（図示せず）と、クリップ部（図示せず）を備える。そして、利用者は、図１２（ｄ）に示すように、マイク２５ｄに備えられたクリップ部（図示せず）でマイク２５ｄを胸に留めて使用する。よって、マイク２５ｃとマイク２５ｄとは、首輪部２６７とクリップ部（図示せず）の構成のみ相違している。なお、マイク２５ｃ，２５ｄの送信部を例えばＲＦタグ（Radio Frequency IDentification）方式の構成とすれば、送信部（図示せず）を小型化できる。
【０１３６】
そして、カラオケ装置はマイクを介して入力された歌唱音声信号と、赤外光受光部２７から出力され、無線周波数で再変調された受光信号とを無線通信にて受信し、受信した前記歌唱音声信号を音声認識部２４へ出力し、前記受光信号を復調して赤外光変調周波数抽出部１２１へ出力するための受信部を備える。
【０１３７】
このように構成された実施形態においては、マイクは歌唱音声信号と受光信号を無線通信で送信するための送信部を備え、カラオケ装置はマイクを介して入力された歌唱音声信号と受光信号を無線通信にて受信するための受信部を備えているので、カラオケ装置１の本体に接続されるケーブルを有する有線通信式のマイクに比べて、利用者はケーブルの絡みつきを気にせず移動することができる。特に、自動車内などの狭い移動体内においては、ケーブルの絡みつきを気にせずにカラオケを楽しむことができる。
【０１３８】
（４）上記実施形態では、大人用マイク２５ａ、子供用マイク２５ｂがそれぞれ１本ずつの計２本のマイクを想定したが、例えば大人用マイク、子供用マイクが２本以上存在してもよい。この場合には、２本以上の子供用マイクの少なくとも何れか一方がアダルト映像の見える位置に存在する場合には、表示部３６の左右両画面に非アダルト映像を表示させる。そして、２本以上の子供用マイクの全てが左右の何れかに存在し、２本以上の大人用マイクの全てが子供用マイクの存在する側とは反対側に存在する場合に、左右それぞれにアダルト映像と非アダルト映像を表示させるようにすればよい。
【０１３９】
（５）上記実施形態では、第１の歌唱者と第２の歌唱者の関係について、大人と子供という事例を挙げて説明したが、第１の歌唱者と第２の歌唱者は大人と子供という関係のみに限定されるわけではない。例えば男と女であってもよいし、上司と部下など、種々考えられる。そして、それらの関係に応じて背景画像の内容も適宜設定すればよい。
【０１４０】
（６）上記実施形態では、スピーカがマイク２５に設けられていなかったが、スピーカを設けてもよい。すなわち、カラオケ楽曲の演奏データと、マイク２５ａ及びマイク２５ｃから入力されたカラオケ歌唱の音声信号とを送信するための音声送信部（図示せず）と、マイク２５ａ及びマイク２５ｂにそれぞれ設けられ、音声送信部によって送信された演奏データと音声信号とを受信する受信部（図示せず）を備える。また、マイク２５ａ及びマイク２５ｂにそれぞれ設けられた受信部によって受信された演奏データと音声信号とを出力するための例えばイヤホン形式のスピーカ（図示せず）をマイク２５ａ及びマイク２５ｂにそれぞれ設ける。
【０１４１】
このように構成された実施形態においては、例えば図１２（ａ）に示すように、自動車４４９内などの移動体内に設置されるカラオケ装置において、移動中にカラオケ演奏する場合には、次のような効果を奏する。イヤホン形式のスピーカにより助手席や後席に存在する利用者はそれぞれ独立したカラオケ演奏音を楽しむことができる。また、運転者には安全運転の障害とならないようにカラオケ装置本体からのスピーカ音を消し、イヤホン形式のスピーカにより助手席や後席に存在する利用者は移動中にもカラオケ演奏を楽しむことができる。
【０１４２】
（７）上記実施形態では、カラオケ演奏を想定したが、ドラマや映画などのコンテンツを再生してもよい。すなわち、音声データと映像データとを有するコンテンツデータをＨＤＤ１６が記憶する。そして、制御部１２は、ＨＤＤ１６に記憶されているコンテンツデータに基づいてコンテンツを再生し、その再生されたコンテンツの映像を表示部１６へ表示させるとともに、その再生されたコンテンツの音声データを上述したマイク２５ａ及びマイク２５ｂにそれぞれ設けられた受信部へ送信するよう上述した音声送信部を制御する。
【０１４３】
このように構成された実施形態においては、音声データと映像データとを有するコンテンツデータがＨＤＤ１６に記憶されているので、カラオケ演奏だけでなく、ドラマや映画なども楽しむことができる。例えば図１２（ａ）に示すように、自動車４４９内などの移動体内に設置されるカラオケ装置において、移動中にドラマや映画などのコンテンツを再生する場合には、運転者には安全運転の障害とならないようにカラオケ装置本体からのスピーカ音を消し、イヤホン形式のスピーカにより助手席や後席に存在する利用者は移動中にもドラマや映画などのコンテンツを楽しむことができる。
【０１４４】
さらに、例えば後席にそれぞれマイク２５ｃ、マイク２５ｄを持った２人の利用者が存在し、互いに異なる映像を表示部３６の左右画面へそれぞれ表示させている場合に、マイク２５ｃ及びマイク２５ｄの位置を介してマイク２５ｃ及びマイク２５ｄをそれぞれ持った２人の利用者の位置関係を自動的に判定する。そして、その判定した対応関係に基づいて、表示部３６の左右画面へ表示する映像の内容を制御する。したがって、例えば後席に存在する２人の利用者が席を入れ替えた場合にも、運転者が互いに異なる映像を切り替えるような操作をする必要がないので、運転者には安全運転の障害とならない。
【図面の簡単な説明】
【０１４５】
【図１】カラオケ装置１の構成を示すブロック図である。
【図２】映像出力及び赤外光受発光に関する構成を示すブロック図である。
【図３】（ａ）はカラオケルーム４９内における赤外光放射の様子を示す説明図であり、（ｂ）は表示部３６に対する赤外光発光部３７ａ，３７ｂの配置を示す斜視図であり、（ｃ）は赤外光発光部３７ａ，３７ｂの構成の一例を示す説明図であり、（ｄ）は赤外光発光部３７ａ，３７ｂの構成の他の例を示す説明図である。
【図４】（ａ）は赤外光受光部２７が設けられているマイク２５の外観を示す斜視図であり、（ｂ）はそのマイク２５の縦断面図である。
【図５】制御部１２が備える赤外光変調周波数抽出部１２１の構成を示すブロック図である。
【図６】所定のカラオケ楽曲が選択されている場合の制御処理全体を示すフローチャートである。
【図７】背景映像出力処理を示すフローチャートである。
【図８】楽曲データフォーマットの説明図である。
【図９】（ａ）は大人用マイク２５ａ及び子供用マイク２５ｂの位置と、左右画面の映像内容の対応関係を示す説明図であり、（ｂ）は、大人用マイク２５ａ及び子供用マイク２５ｂの位置と、切替スイッチ部３８３の４つのスイッチＳ１，Ｓ２，Ｓ３，Ｓ４のＯＮ／ＯＦＦ状態の対応関係を示す説明図である。
【図１０】デュアルビュー表示の説明図である。
【図１１】（ａ）はカラオケルーム４９内における一対の赤外光発光部３７ｃ，３７ｄによる赤外光放射の様子を示す説明図であり、（ｂ）は表示部３６に対する赤外光発光部３７ｃ，３７ｄの配置を示す斜視図である。
【図１２】（ａ）は自動車４４９内における一対の赤外光発光部３７ａ，３７ｂの配置の様子を示す説明図であり、（ｂ）は首輪部２６７を有する無線通信式のマイク２５ｃを示す説明図であり、（ｃ）はそのマイク２５ｃを利用者が装着した状態を示す説明図であり、（ｄ）はバッジタイプで無線通信式のマイク２５ｄを利用者が装着した状態を示す説明図である。
【符号の説明】
【０１４６】
１…カラオケ装置、２…リモコン端末、１２…制御部、１４…インタフェース部、１６…ハードディスク（ＨＤＤ）、１８…操作部、２０…赤外線通信部、２２…操作処理部、２４…音声制御部、２５ａ…大人用マイク、２５ｂ…子供用マイク、２５，２５ｃ，２５ｄ…マイク、２７ａ，２７ｂ，２７…赤外光受光部、２８…スピーカ、３０…ＭＩＤＩ音源、３２，３３…ビデオＲＡＭ、３５ａ，３５ｂ…赤外光変調部、３６…表示部、３６ａ…表示画面、３７ａ〜３７ｄ…赤外光発光部、３８…映像制御部、３９…バス、４０…ＵＳＢ、４９…カラオケルーム、１００…ネットワーク、１２１…赤外光変調周波数抽出部、１２１ａ…位相比較器、１２１ｂ…ＬＰＦ（ローパスフィルタ）、１２１ｃ…ＶＣＯ（制御発振器）、１２１ｄ…ＰＬＬ（位相ロックループ）、１２１ｅ…周波数計測部、２５０…受音受光部、２５１…上部、２５３…透光部、２５５…下部、２５６…握り手部、２５７…端子部、２５８…ケーブル、２５９…集光体、２６１…集光レンズ、２６３…受光部、２６５…受音部、２６７…首輪部、２６９…アンテナ、３７１ａ〜３７１ｄ…発光ランプ、３７３ａ〜３７３ｄ…反射板、３８１…第１ＶＧＡ部、３８２…第２ＶＧＡ部、３８３…切替スイッチ部、３８４…第１映像出力部、３８５…第２映像出力部、４４９…自動車、３７３１ａ，３７３１ｂ…平板部、３７３３ａ，３７３３ｂ…立上部、３７３５ａ，３７３５ｂ，３７３７ａ，３７３７ｂ…蓋部。
【図１】
2007272075.tif 000003
【図２】
2007272075.tif 000004
【図５】
2007272075.tif 000005
【図６】
2007272075.tif 000006
【図７】
2007272075.tif 000007
【図８】
2007272075.tif 000008
【図９】
2007272075.tif 000009
【図１０】
2007272075.tif 000010
【図３】
2007272075.tif 000011
【図４】
2007272075.tif 000012
【図１１】
2007272075.tif 000013
【図１２】
2007272075.tif 000014